(57)【要約】【課題】短時間でリモコンの操作部に蓄光することができ、リモコンの操作性を向上させることができる電子機器、及びプロジェクタの提供。【解決手段】プロジェクタ１は、リアケース１３を備える。リアケース１３は、凹部１３３と、この凹部１３３と嵌合するリモコン収納部１８とを備える。リモコン収納部１８は、開口部１８１を備え、この開口部１８１からリモコン５を挿入してリモコン収納部１８を閉塞することによりリモコン５を収納する。リモコン５は、操作部５１を備え、操作部５１は、樹脂に所定量の蓄光性材料を混入させて成形される。凹部１３３には、リモコン５が収納されている場合に、リモコン５の操作部５１と対向して光が照射される位置にＵＶ−ＬＥＤ１９が取り付けられる。したがって、リモコン５が収納されている場合に、ＵＶ−ＬＥＤ１９を発光させることによりリモコン５の操作部５１を照明して蓄光させることができる。【選択図】図４
2008113074.tif 000002
【特許請求の範囲】
【請求項１】
遠隔操作手段と、当該遠隔操作手段を収納する収納部を有する装置本体とを備える電子機器であって、
前記遠隔操作手段は、蓄光性材料を含む操作部を備え、
前記収納部には、前記遠隔操作手段が収納された際に前記操作部を照明する照明手段が設けられることを特徴とする電子機器。
【請求項２】
請求項１に記載の電子機器において、
前記装置本体は、
当該装置本体を制御する制御手段と、
前記遠隔操作手段の収納状態を検知する収納検知手段とを備え、
前記制御手段は、
前記収納検知手段により前記遠隔操作手段が収納されたことを検知したときに、前記照明手段に照明を開始させる照明制御部を備えることを特徴とする電子機器。
【請求項３】
請求項２に記載の電子機器において、
前記照明制御部は、前記照明手段により照明を開始した後、前記収納検知手段により前記遠隔操作手段が取り出されたことを検知したときに、前記照明手段に照明を停止させることを特徴とする電子機器。
【請求項４】
請求項２または請求項３に記載の電子機器において、
前記照明制御部は、前記照明手段に照明を開始させた後、所定時間で前記照明手段に照明を停止させることを特徴とする電子機器。
【請求項５】
請求項１から請求項４のいずれかに記載の電子機器において、
前記照明手段は、紫外線域の光を含む光を照明することを特徴とする電子機器。
【請求項６】
請求項５に記載の電子機器において、
前記照明手段は、ピーク波長が紫外線域となる発光ダイオードにより紫外線域の光を含む光を照明することを特徴とする電子機器。
【請求項７】
光源と、光源から射出された光を、入力される画像情報に応じて変調して光学像を形成する光変調装置と、形成された光学像を拡大投射する投射光学装置とを備えたプロジェクタであって、
当該プロジェクタは、
遠隔操作手段と、当該遠隔操作手段を収納する収納部を有する装置本体とを備え、
前記遠隔操作手段は、蓄光性材料を含む操作部を備え、
前記収納部には、前記遠隔操作手段が収納された際に前記操作部を照明する照明手段が設けられることを特徴とするプロジェクタ。
【発明の詳細な説明】
【技術分野】
【０００１】
本発明は、電子機器、及びプロジェクタに関する。
【背景技術】
【０００２】
従来、装置本体を遠隔操作するリモコン（リモートコントローラ）を備えた電子機器が知られている。このような電子機器としては、例えば、プロジェクタ、テレビジョン受信装置、及びビデオ再生装置等がある。また、装置本体に、リモコンを収納する収納部が設けられた電子機器が知られている（例えば、特許文献１参照）。
特許文献１に記載のプロジェクタでは、筐体外面に凹部を形成し、これに嵌合する蓋部材を回動可能に設け、この蓋部材にリモコンを収納する収納部を設けている。
【０００３】
ところで、プロジェクタは、室内で映画鑑賞する場合等のように暗闇で使用されることが多い。このような場合には、プロジェクタの使用者は、リモコンの操作部を視認することができず、操作性が悪いという問題がある。これに対して、リモコンの操作部の材料として、光が照射されることにより光のエネルギーを吸収蓄積し（以下、蓄光とする）、そのエネルギーを放出して発光することができる蓄光性を有する材料を利用することが考えられる。これにより、暗闇で使用される場合であってもリモコンの操作部が蓄光性材料により発光するので、プロジェクタの使用者は、リモコンの操作部を視認することができ、操作性を向上することができる。
【０００４】
【特許文献１】特開２００４−２７２０９１号公報
【発明の開示】
【発明が解決しようとする課題】
【０００５】
しかしながら、このような蓄光性材料の発光の強さは、光を照射する光源の種類と照射時間に依存する。例えば、ストロンチウムアルミネート（ＳｒＡｌ２Ｏ４）を母体結晶とし、不純物としてユーロピウム（Ｅｕ）やジスプロシウム（Ｄｙ）など数種類の稀土類元素を含む長時間の発光が可能な蓄光性材料が知られているが、このような蓄光性材料は、紫外線域の光を照射することにより基底状態の原子や分子中の電子が励起状態となり、そのエネルギーを放出して発光する。したがって、自然光によって蓄光させようとすると、蓄光に時間がかかるという問題があった。
【０００６】
また、前述したように、プロジェクタは、室内で映画鑑賞する場合等のように暗闇で使用されることが多く、このような場合、プロジェクタを使用している間には蓄光することができないので、プロジェクタの使用者がリモコンの操作部を視認することができるだけの十分な発光を得られないという問題があった。
さらに、特許文献１に記載のプロジェクタのように、リモコンを収納した場合にリモコンの操作部がプロジェクタの外部に露出しない収納部を有する電子機器においては、リモコンを収納している間には光が照射されないため、蓄光することができないという問題があった。
【０００７】
本発明の目的は、短時間でリモコンの操作部に蓄光することができ、リモコンの操作性を向上させることができる電子機器、及びプロジェクタを提供することにある。
【課題を解決するための手段】
【０００８】
本発明の電子機器は、遠隔操作手段と、当該遠隔操作手段を収納する収納部を有する装置本体とを備える電子機器であって、前記遠隔操作手段は、蓄光性材料を含む操作部を備え、前記収納部には、前記遠隔操作手段が収納された際に前記操作部を照明する照明手段が設けられることを特徴とする。
【０００９】
ここで、蓄光性材料を含む操作部とは、例えば、操作部を樹脂により成形する際に所定量の蓄光性材料を混入させたもの、樹脂により成形された操作部の表面に蓄光性材料を塗布したものなどが例示できる。
このような構成によれば、装置本体の収納部には、遠隔操作手段の操作部を照明する照明手段が設けられているので、照明手段の光源の種類を選択することにより短時間で遠隔操作手段の操作部に蓄光することができる。また、遠隔操作手段を収納部に収納することにより操作部に蓄光することができるから、電子機器を暗闇で使用している場合であっても電子機器の使用者が遠隔操作手段の操作部を視認することができるだけの十分な発光を得ることができ、リモコンの操作性を向上させることができる。
【００１０】
本発明では、前記装置本体は、当該装置本体を制御する制御手段と、前記遠隔操作手段の収納状態を検知する収納検知手段とを備え、前記制御手段は、前記収納検知手段により前記遠隔操作手段が収納されたことを検知したときに、前記照明手段に照明を開始させる照明制御部を備えることが好ましい。
このような構成によれば、装置本体の収納部に遠隔操作手段を収納することにより自動的に照明制御部が照明手段に照明を開始させるので、電子機器の使用者は、装置本体の収納部に遠隔操作手段を収納することにより遠隔操作手段の操作部に自動的に蓄光することができる。
【００１１】
本発明では、前記照明制御部は、前記照明手段により照明を開始した後、前記収納検知手段により前記遠隔操作手段が取り出されたことを検知したときに、前記照明手段に照明を停止させることが好ましい。
このような構成によれば、電子機器の使用者が遠隔操作手段を装置本体の収納部から取り出したとき、すなわち、照明を行う必要がないときに、照明制御部が照明手段に照明を停止させることができるので、必要以上の電力を消費せず環境対策上好ましい。
【００１２】
本発明では、前記照明制御部は、前記照明手段に照明を開始させた後、所定時間で前記照明手段に照明を停止させることが好ましい。
一般的に蓄光性材料は、一定量以上の紫外線域の光を照射すると励起飽和状態となり、この励起飽和状態では、さらに紫外線域の光を照射したとしても励起飽和状態を超えて蓄光することができない。したがって、このような構成によれば、蓄光性材料の飽和特性と、照明手段の光源の種類とに応じた所定時間で照明制御部が照明手段に照明を停止させることができ、必要以上の電力を消費せず環境対策上好ましい。
【００１３】
本発明では、前記照明手段は、紫外線域の光を含む光を照明することが好ましい。
このような構成によれば、前述した紫外線域の光を照射することにより蓄光する蓄光性材料を遠隔操作手段の操作部に採用した場合、他の種類の光源と比較して短時間で蓄光することができる。
【００１４】
本発明では、前記照明手段は、ピーク波長が紫外線域となる発光ダイオードにより紫外線域の光を含む光を照明することが好ましい。
このような構成によれば、一般的に、発光ダイオードは、放電型の光源ランプ等と比較して低消費電力であり発熱が小さく、寿命も長いので、照明手段の光源として好適である。
【００１５】
本発明のプロジェクタは、光源と、光源から射出された光を、入力される画像情報に応じて変調して光学像を形成する光変調装置と、形成された光学像を拡大投射する投射光学装置とを備えたプロジェクタであって、当該プロジェクタは、遠隔操作手段と、当該遠隔操作手段を収納する収納部を有する装置本体とを備え、前記遠隔操作手段は、蓄光性材料を含む操作部を備え、前記収納部には、前記遠隔操作手段が収納された際に前記操作部を照明する照明手段が設けられることを特徴とする。
このような構成によれば、前述した電子機器の作用および効果と同様の作用および効果を享受することができる。
【発明を実施するための最良の形態】
【００１６】
以下、本発明の実施形態を図面に基づいて説明する。
［プロジェクタ１の全体構成］
図１は、本実施形態に係るプロジェクタ１を上方前面側から見た斜視図である。図２は、プロジェクタ１を後方背面側から見た斜視図である。
プロジェクタ１は、光源から射出された光束を画像情報に応じて変調し、スクリーン等の投写面上に拡大投写する。このプロジェクタ１は、図１ないし図２に示すように、略直方体状の外装ケース２、およびこの外装ケース２から露出する投写レンズ３を備えている。
投射光学装置としての投写レンズ３は、プロジェクタ１の本体部分により画像情報に応じて変調された光学像を拡大投写する。この投写レンズ３は、筒状の鏡筒内に複数のレンズが収納された組レンズとして構成される。
【００１７】
外装ケース２は、合成樹脂製の筐体であり、プロジェクタ１の本体部分である光学ユニット（図示省略）を収納する。なお、光学ユニットについては後に詳述する。
また、図示は省略するが、光学ユニット以外の空間には、プロジェクタ１内部を冷却する冷却ファン等で構成される冷却ユニット、プロジェクタ１内部の各構成部材に電力を供給する電源ユニット、およびプロジェクタ１全体を制御する制御手段等が配置されるものとする。なお、制御手段については後に詳述する。
外装ケース２は、図１ないし図２に示すように、プロジェクタ１の上部分を覆うアッパーケース１１と、プロジェクタ１の下部分を覆うロアーケース１２と、プロジェクタ１の背面部分を覆うリアケース１３（図２）とを備えている。これらアッパーケース１１、ロアーケース１２およびリアケース１３は、ねじ等により固定され、適宜着脱可能に構成されている。
【００１８】
アッパーケース１１は、図１ないし図２に示すように、操作パネル１４、複数の孔１５、排気口１６、及びリモコン受光窓１７を備える。
操作パネル１４は、アッパーケース１１の上面の後方側略中央部分に、左右方向に延びるように設けられ、プロジェクタ１の起動・調整操作を実施する。
複数の孔１５は、アッパーケース１１の上面の前方側略中央部分に形成され、この内側に配置される図示しないスピーカから音声が出力される。
排気口１６は、アッパーケース１１の前面から見て左側部分に形成され、内部に配置される冷却ファンから排気される空気が排出される。
【００１９】
リモコン受光窓１７は、アッパーケース１１の前面から見て略中央部分に形成されている。そして、このリモコン受光窓１７の内側には、後述するリモコンからの操作信号を受信する図示しないリモコン受光モジュールが配置されている。
なお、図示しないリモコン受光モジュールは、前述した制御手段と電気的に接続され、リモコン受光モジュールにて受信した操作信号は、制御手段に出力される。また、図示は省略するが、これらリモコン受光窓１７、及びリモコン受光モジュールは、プロジェクタ１の背面側にも設けられ、プロジェクタ１の前方および後方の双方から遠隔操作を実施できるように構成されている。
【００２０】
リアケース１３は、図２に示すように、隔壁１３１により区画され、後方から見て左側に位置する凹部１３２と、後方から見て右側に位置するリモコン収納部１８とを備える。
凹部１３２は、外部の電子機器からの画像信号、音声信号等を入力するための複数の接続端子が外部に露出している。なお、リモコン収納部１８については後に詳述する。
【００２１】
［光学ユニット４の構成］
図３は、光学ユニット４の光学系を模式的に示す図である。
光学ユニット４は、外装ケース２に収納されるプロジェクタ１の本体部分であり、光源から射出された光束を画像情報に応じて変調し、スクリーン等の投写面上に拡大投写するものである。光学ユニット４は、図３に示すように、インテグレータ照明光学系４１と、色分離光学系４２と、リレー光学系４３と、光変調装置および色合成光学装置を一体化した光学装置４４とに機能的に大別される。
インテグレータ照明光学系４１は、光源から射出された光束を照明光軸直交面内における照度を均一にするための光学系である。このインテグレータ照明光学系４１は、図３に示すように、光源装置４１１、第１レンズアレイ４１２、第２レンズアレイ４１３、偏光変換素子４１４、および重畳レンズ４１５を備えて構成される。
【００２２】
光源装置４１１は、光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。
【００２３】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１の画像形成領域に結像させる機能を有している。
【００２４】
偏光変換素子４１４は、第２レンズアレイ４１３からの光を略１種類の偏光に変換するものであり、これにより、光学装置４４での光の利用効率が高められている。
具体的に、偏光変換素子４１４によって略１種類の直線偏光に変換された各部分光は、重畳レンズ４１５によって最終的に後述する液晶パネル４４１の画像形成領域にほぼ重畳される。偏光を変調するタイプの液晶パネルを用いたプロジェクタでは、１種類の直線偏光しか利用できないため、ランダムな偏光を発する光源装置４１１からの光の略半分を利用できない。このため、偏光変換素子４１４を用いることで、光源装置４１１からの射出光を略１種類の直線偏光に変換し、光学装置４４での光の利用効率を高めている。
【００２５】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００２６】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００２７】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
【００２８】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００２９】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。
【００３０】
入射側偏光板４４２は、色分離光学系４２で分離された各色光のうち、一定方向の偏光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光のみ透過させ、その他の光束を吸収するものであり、透過させる偏光の偏光軸は、入射側偏光板４４２における透過させる偏光の偏光軸に対して直交するように設定されている。
【００３１】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００３２】
［リモコン収納部１８の構成］
図２は、リモコン収納部１８を閉塞している状態を示す図である。図４は、リモコン収納部１８を開放した状態を示す拡大図である。
リモコン収納部１８は、リモコン５を収納するものであり、図４に示すように、リアケース１３において隔壁１３１により区画され、後方から見て右側に位置する凹部１３３に嵌合し、一方の端面に開口部１８１を有し、凹部１３３と対向する面に開口部１８２を有する箱状部材であり、紫外線域の光を遮断する材料から構成されている。そして、このリモコン収納部１８は、開口部１８１と反対側の端部が凹部１３３の後方から見て右側に軸支され、回動可能に構成されている。
また、図２に示すように、隔壁１３１には、リモコン収納部１８側の側面に切欠部１３１Ａが形成され、リモコン収納部１８には、切欠部１３１Ａに隣接する位置に手掛部１８３が形成されている。
【００３３】
したがって、リモコン５を取り出す場合には、手掛部１８３を起こすようにリモコン収納部１８を回動し、開口部１８１からリモコン５を取り出す。また、リモコン５を収納する場合には、リモコン５を開口部１８１から挿入し、手掛部１８３を押し込むようにリモコン収納部１８を回動して閉塞する。
【００３４】
リモコン５は、プロジェクタ１における電源のオンオフや、画像の再生および停止、音量の調節等を実施する操作部５１を有する。そして、このリモコン５は、リモコン受光窓１７（図１）を介して内部のリモコン受光モジュールに、離間位置から操作信号を送信して、プロジェクタ１の遠隔操作を実施する。
操作部５１は、樹脂に所定量の蓄光性材料を混入させて成形されたものである。蓄光性材料は、ストロンチウムアルミネート（ＳｒＡｌ２Ｏ４）を母体結晶とし、不純物としてユーロピウム（Ｅｕ）やジスプロシウム（Ｄｙ）など数種類の稀土類元素を含む長時間の発光が可能なものであり、紫外線域の光を照射することにより基底状態の原子や分子中の電子が励起状態となり、そのエネルギーを放出して発光する。蓄光性材料としては、例えば、日亜化学工業株式会社製のウルトラグローＮＰ−２８２０（Ｓｒ４Ａｌ１４Ｏ２５：Ｅｕ，Ｄｙ）を採用することができる。
【００３５】
凹部１３３には、図４に示すように、略中央部分の３箇所位置にＵＶ−ＬＥＤ（紫外線発光ダイオード）１９が取り付けられ、凹部１３３の後方から見て右上部分にスイッチ２０が取り付けられている。
照明手段としてのＵＶ−ＬＥＤ１９は、ピーク波長が紫外線域となる光を発光する発光ダイオードであり、リモコン５が収納されている場合に、リモコン５の操作部５１と対向して光が照射されるように配置される。
なお、発光ダイオードは、順方向に電圧を加えた際に発光面から放射状の光を射出する半導体素子であり、発光面から射出する光のピーク波長は、発光ダイオードを形成する材料により異なる。
【００３６】
照明検知手段としてのスイッチ２０は、リモコン収納部１８が閉塞された際に、リモコン５の収納状態を検出するものであり、バネ構造によりリアケース１３の外側方向に突出している。スイッチ２０は、リモコン収納部１８の開口部１８２と対向する位置に設けられ、その突出量は、リモコン収納部１８が閉塞している状態において、スイッチ２０の先端位置と、リモコン収納部１８にリモコン５が収納されるべき位置とが略同じ位置となるような量とされている。したがって、リモコン５がリモコン収納部１８に収納されている場合には、スイッチ２０は、リモコン５によりリアケース１３の内側方向に押込まれてオンとなる。一方、リモコン５がリモコン収納部１８に収納されていない場合には、スイッチ２０は、バネ構造によりリアケース１３の外側方向に突出してオフとなる。
【００３７】
［リモコン収納部１８による照明方法］
次に、リモコン収納部１８によりリモコン５の操作部５１を照明する照明処理について、図５、及び図６を参照して説明する。
図５は、プロジェクタ１のリモコン収納部１８が照明処理を行うための機能ブロック図である。
プロジェクタ１は、図５に示すように、スイッチ状態検出手段２１と、ＬＥＤドライバ回路２２と、タイマー回路２３と、制御手段２４とを備える。
【００３８】
スイッチ状態検出手段２１は、スイッチ２０のオン、及びオフを検出するものであり、検出した各状態の信号を制御手段２４に出力する。
ＬＥＤドライバ回路２２は、制御手段２４から出力される制御信号に基づいてＵＶ−ＬＥＤ１９を発光させる。
タイマー回路２３は、ＬＥＤドライバ回路２２がＵＶ−ＬＥＤ１９を発光させている発光時間を計時する。
【００３９】
制御手段２４は、スイッチ状態監視部２４１と、ＬＥＤ発光時間設定部２４２と、ＬＥＤ制御部２４３とを備える。
スイッチ状態監視部２４１は、スイッチ状態検出手段２１から出力される信号を監視して、リモコン５の収納状態を検出する。
ＬＥＤ発光時間設定部２４２は、スイッチ状態監視部２４１によりリモコン５が収納されたことを検出した際に、ＵＶ−ＬＥＤ１９を発光させる発光時間を設定する。
照明制御部としてのＬＥＤ制御部２４３は、ＬＥＤドライバ回路２２を介してＵＶ−ＬＥＤ１９の発光を開始させる。また、リモコン５がリモコン収納部１８から取り出されたとき、またはタイマー回路２３により計時されるＵＶ−ＬＥＤ１９の発光時間がＬＥＤ発光時間設定部２４２により設定される発光時間を超えたときに、ＬＥＤドライバ回路２２を介してＵＶ−ＬＥＤ１９の発光を停止させる。
【００４０】
図６は、リモコン収納部１８の動作を示すフローチャートである。
リモコン収納部１８による照明処理は、以下のＳＴ１〜ＳＴ６を実行することにより行う。
まず、スイッチ状態監視部２４１は、スイッチ状態検出手段２１から出力される信号を監視して、リモコン５の収納状態を検出する（ＳＴ１）。ここでは、スイッチ２０がバネ構造によりリアケース１３の外側方向に突出し、オフとなっている状態からスイッチ２０がリモコン５によりリアケース１３の内側方向に押込まれオンとなるときのスイッチ状態検出手段２１から出力される信号の立ち上がりを検出する。すなわち、リモコン５がリモコン収納部１８に収納されたことを検出する。
【００４１】
リモコン５がリモコン収納部１８に収納されたことを検出すると、ＬＥＤ発光時間設定部２４２は、ＵＶ−ＬＥＤ１９の発光時間を設定する（ＳＴ２）。なお、本実施形態においては、前述したウルトラグローＮＰ−２８２０を、ＵＶ−ＬＥＤ１９により蓄光している。この場合には、略２分間程度で励起飽和状態にすることができ、１５時間程度の発光時間を得ることができるので、ＬＥＤ発光時間設定部２４２は、発光時間を２分間に設定する。
【００４２】
ＬＥＤ発光時間設定部２４２により発光時間が設定されると、ＬＥＤ制御部２４３は、ＬＥＤドライバ回路２２を介してＵＶ−ＬＥＤ１９の発光を開始させる（ＳＴ３）。
ＬＥＤ制御部２４３によりＵＶ−ＬＥＤの発光が開始されると、スイッチ状態監視部２４１は、スイッチ状態検出手段２１から出力される信号を監視して、リモコン５の収納状態を検出する（ＳＴ４）。ここでは、スイッチ２０がリモコン５によりリアケース１３の内側方向に押込まれオンとなっている状態からスイッチ２０がバネ構造によりリアケース１３の外側方向に突出し、オフとなるときのスイッチ状態検出手段２１から出力される信号の立ち下がりを検出する。すなわち、リモコン５がリモコン収納部１８から取り出されたことを検出する。
【００４３】
リモコン５がリモコン収納部１８から取り出されたことを検出すると、ＬＥＤ制御部２４３は、ＬＥＤドライバ回路２２を介してＵＶ−ＬＥＤ１９の発光を停止させる（ＳＴ６）。
また、リモコン５がリモコン収納部１８から取り出されたことを検出しない場合には、ＬＥＤ制御部２４３は、タイマー回路２３により計時されるＵＶ−ＬＥＤ１９の発光時間を監視する（ＳＴ５）。
そして、タイマー回路２３により計時されるＵＶ−ＬＥＤ１９の発光時間がＬＥＤ発光時間設定部２４２により設定される発光時間を超えたときに、ＬＥＤ制御部２４３は、ＬＥＤドライバ回路２２を介してＵＶ−ＬＥＤ１９の発光を停止させる（ＳＴ６）。
タイマー回路２３により計時されるＵＶ−ＬＥＤ１９の発光時間がＬＥＤ発光時間設定部２４２により設定される発光時間を超えていない場合には、再度、ＳＴ４を実行する。
【００４４】
［実施形態の効果］
本実施形態に係るプロジェクタ１によれば、次のような効果がある。
（１）リモコン５をリモコン収納部１８に収納することにより操作部５１に蓄光することができるから、プロジェクタ１を暗闇で使用している場合であってもプロジェクタ１の使用者がリモコン５の操作部５１を視認することができるだけの十分な発光を得ることができ、リモコン５の操作性を向上させることができる。
（２）リモコン収納部１８にリモコン５を収納することにより自動的にＬＥＤ制御部２４３がＵＶ−ＬＥＤ１９に照明を開始させるので、プロジェクタ１の使用者は、リモコン収納部１８にリモコン５を収納することによりリモコン５の操作部５１に自動的に蓄光することができる。
【００４５】
（３）リモコン収納部１８からリモコン５を取り出すことにより自動的にＬＥＤ制御部２４３がＵＶ−ＬＥＤ１９に照明を停止させるので、必要以上の電力を消費せず環境対策上好ましい。
（４）蓄光性材料の飽和特性と、照明手段の光源の種類とに応じた所定時間でＬＥＤ制御部２４３がＵＶ−ＬＥＤ１９に照明を停止させるので、必要以上の電力を消費せず環境対策上好ましい。
【００４６】
（５）紫外線域の光を照射することにより蓄光する蓄光性材料をリモコン５の操作部５１に採用し、ピーク波長が紫外線域となる光を発光するＵＶ−ＬＥＤ１９を照明手段として採用しているので、自然光によって蓄光性する場合と比較して短時間で蓄光することができる。
（６）照明手段としてＵＶ−ＬＥＤ１９を採用しているので、放電型の光源ランプ等と比較して低消費電力であり発熱も小さくすることができ、寿命も長くすることができる。
【００４７】
［実施形態の変形］
なお、本発明は前記実施形態に限定されるものではなく、本発明の目的を達成できる範囲での変形、改良等は本発明に含まれるものである。
例えば、前記実施形態では、電子機器は、プロジェクタ１であったが、テレビジョン受信機やビデオ再生装置などであってもよく、要するに、装置本体と、遠隔操作手段とを備えた電子機器であればよい。
【００４８】
また、前記実施形態では、ＬＥＤ制御部２４３は、リモコン５がリモコン収納部１８から取り出されたとき、またはタイマー回路２３により計時されるＵＶ−ＬＥＤ１９の発光時間がＬＥＤ発光時間設定部２４２により設定される発光時間を超えたときに、ＬＥＤドライバ回路２２を介してＵＶ−ＬＥＤ１９の発光を停止させていたが、停止させなくてもよく、要するに、遠隔操作手段の操作部に蓄光することができればよい。
また、前記実施形態では、ＬＥＤ発光時間設定部２４２は、ＵＶ−ＬＥＤ１９の発光時間を２分間に設定していたが、これ以外の発行時間を設定してもよく、要するに、発光時間を、蓄光性材料の飽和特性と、照明手段の光源の種類とに応じて設定すればよい。
【００４９】
また、前記実施形態では、照明手段は、ＵＶ−ＬＥＤ１９を採用していたが、例えば、フラッシュを採用してもよく、光源ランプ４１６から射出される光を光ファイバなどにより導光して照明手段としてもよい。要するに、遠隔操作手段の操作部を照明することができればよい。
なお、光源ランプから射出される光を光ファイバなどにより導光して照明手段とする場合には、ＵＶカットフィルタなどにより紫外線域の光を減衰させる前の光を導光することが好ましい。ただし、プロジェクタが光学像を投射している間など、光源ランプが光を射出している場合のみ蓄光することができるので、個別の照明手段を設ける前記実施形態が好適である。
【００５０】
また、前記実施形態では、照明手段としてピーク波長が紫外線域となる光を発光するＵＶ−ＬＥＤ１９とを採用していたが、例えば、ブラックライトなどを採用してもよく、要するに、紫外線域の光を含む光を照明することができればよい。
また、前記実施形態では、紫外線域の光を照射することにより蓄光する蓄光性材料と、ピーク波長が紫外線域となる光を発光するＵＶ−ＬＥＤ１９とを採用していたが、これ以外の蓄光性材料と、照明手段との組み合わせであってもよく、要するに、遠隔操作手段を装置本体の収納部に収納することにより遠隔操作手段の操作部に蓄光することができればよい。
【００５１】
また、前記実施形態では、リモコン収納部１８にリモコン５を収納することにより自動的にＬＥＤ制御部２４３がＵＶ−ＬＥＤ１９に照明を開始させていたが、例えば、プロジェクタの使用者が操作パネルを操作することにより手動で蓄光を開始、及び停止してもよく、要するに、装置本体の収納部にて遠隔操作手段の操作部に蓄光することができればよい。
また、前記実施形態では、収納検知手段は、機械式のスイッチ２０を採用したが、例えば、フォトスイッチなどを採用してもよく、要するに、遠隔操作手段が装置本体の収納部に収納されたことを検知することができればよい。
また、前記各実施形態では、各液晶パネル４４１により光源装置４１１から射出される光を変調していたが、例えば、ＤＭＤ(Digital Micro mirror Device)、反射型液晶パネル（ＬＣＯＳ：Liquid Crystal on Silicon）により光源から射出される光を変調してもよい。
【図面の簡単な説明】
【００５２】
【図１】本実施形態に係るプロジェクタを上方前面側から見た斜視図である。
【図２】同プロジェクタを後方背面側から見た斜視図である。
【図３】光学ユニットの光学系を模式的に示す図である。
【図４】リモコン収納部を開放した状態を示す拡大図である。
【図５】同リモコン収納部が照明処理を行うための機能ブロック図である。
【図６】同リモコン収納部の動作を示すフローチャートである。
【符号の説明】
【００５３】
１…プロジェクタ、２…外装ケース、３…投写レンズ、５…リモコン、１８…リモコン収納部、１９…ＵＶ−ＬＥＤ、２０…スイッチ、２１…スイッチ状態検出手段、２４…制御手段、５１…操作部、２４１…スイッチ状態監視部、２４２…ＬＥＤ発光時間設定部、２４３…ＬＥＤ制御部、４１６…光源ランプ、４４１Ｒ…液晶パネル、４４１Ｇ…液晶パネル、４４１Ｂ…液晶パネル。
【図１】
2008113074.tif 000003
【図２】
2008113074.tif 000004
【図３】
2008113074.tif 000005
【図４】
2008113074.tif 000006
【図５】
2008113074.tif 000007
【図６】
2008113074.tif 000008